(57)【要約】【課題】本考案は、カットされた野菜類を傷めずに新鮮な状態で保存、搬送、展示に適し、又カット野菜類の取り出しも容易で、皿代わりにもなる包装袋を提供するものである。【解決手段】上記課題を解決するため、本考案は、二つ折りされたフィルムの両側縁を熱刃による溶断シールで、更に、底面となる半折部の両端部より、溶着された両側縁に向け熱シールバーによるヒートシールでそれぞれ溶着し、開口部の両端部にノッチを取り付けたことを特徴とするカット野菜等の包装袋である。【選択図】図１
0003126331.tif 000002
【実用新案登録請求の範囲】
【請求項１】
二つ折りされたフィルムの両側縁を溶着した袋体において、底部となる半折部の両端部より両側縁へ向けて斜め方向に溶着され、開口部の両端部にノッチを取り付けたことを特徴とするカット野菜等の包装袋。
【請求項２】
袋の素材は、ＰＰ単体、ＰＥ単体、ＰＥＴ単体、ＰＰとＰＰの複合体、ＰＰとＰＥの複合体、ＰＥとＰＥの複合体、ＰＥＴとＰＰとの複合体、ＰＥＴとＰＥとの複合体の何れかによる請求項１記載のカット野菜等の包装袋。
【請求項３】
開口部の両端部に取り付けたノッチは、半円形、Ｕ字形、Ｖ字形の何れかによる請求項１記載のカット野菜等の包装袋。
【考案の詳細な説明】
【技術分野】
【０００１】
この考案は、包装袋から取り出した野菜をそのまま食べることのできる大きさにカットされたレタス・葱・ナス・キュウリ・人参等の野菜類を、傷めずに新鮮なまま保存、流通、展示に適した、ポリエチレン、ポリプロピレン等のフィルムで成形されたカット野菜等の包装袋に関するものである。
【背景技術】
【０００２】
ファーストフーズ、ファミリーレストラン等を主体とする外食産業が飛躍的に発展し、個人消費においては、簡便性を求める今日、カット野菜に代表される一次加工野菜に対する需要が増大している。特に昨今のような核家族化あるいは単身赴任者、さらには未婚者が増える等、家庭における日常生活での食生活は量的に少なくなる傾向があり、野菜、果物等もカットされたものが重宝されている。このような需要動向のなかで、最も一般的なカット野菜の流通形態は、ポリエチレン、ポリプロピレン等のフィルムで成形された透明なフィルムで包装する野菜等の包装袋である。
【０００３】
従来より野菜の包装袋としてポリエチレン等の透明な袋が使用されており、セロリやほうれん草などの葉もの野菜で水気を多く含んでいるものは袋の中に入れておくと徐々に水が溜まって商品が傷むことから、水切り用の孔を設けた包装袋が使用されている。
例えば、袋体の両サイドに熱溶着によるサイドシール部を設け、底部分に破線状に熱シールした間欠シール部を設けた野菜の包装袋（特許文献１参照）、或いは、包装フィルムを袋体に形成し、この袋体内に野菜を収納し、空気とともに密閉すると共に、袋体内の水分が集まる部位を底部に設けた野菜の包装袋（特許文献２参照）等を使用して保存、出荷、展示されている。  
【特許文献１】実開平６−８０６５０号公報
【特許文献２】特開２００５−１３８８６７号公報
【考案の開示】
【考案が解決しようとする課題】
【０００４】
しかしながら、従来のような包装形態では、包装袋からカットされた野菜を取り出して食べようとした場合、包装袋の底がフラットでなく、又野菜を取り出す開口が狭いために、収納されたカット野菜を指や箸で取り出すのが難しく、更に、座りが悪いため包装袋を皿代わりに利用することができなかった。
【０００５】
本考案は、上記従来技術の問題点を解決するべく鋭意研究を重ねた結果、二つ折りされたフィルムを、サイドウエルド機（熱刃による熔断シール、熱シールバーによるヒートシ−ル高周波シール）により溶着し、開口部にノッチを設けることにより、包装袋からカットされた野菜等を容易に取り出すと共に、皿代わりにもなる包装袋を提供するものである。
【課題を解決するための手段】
【０００６】
本考案は上記課題を解決するため、二つ折りされたフィルムの両側縁を熱刃による溶断シールで、更に、底面部となる二つ折りされた半折部の両端部より溶着された両側縁に向け熱シールバーによるヒートシールでそれぞれ溶着し、開口部の両端部にノッチを取り付けたカット野菜等の包装袋を特徴とする。
【０００７】
袋の素材は、ＰＰ単体、ＰＥ単体、ＰＥＴ単体、ＰＰとＰＰの複合体、ＰＰとＰＥの複合体、ＰＥとＰＥの複合体、ＰＥＴとＰＰとの複合体、ＰＥＴとＰＥとの複合体の何れかによるカット野菜等の包装袋を特徴とする。
【０００８】
開口部の両端部に取り付けたノッチは、半円形、Ｕ字形、Ｖ字形の何れかによるカット野菜等の包装袋を特徴とする。
【考案の効果】
【０００９】
本考案は、開封後は包装袋の底がフラットになるので座りがよく安定している。また、開口部の開口が広くとれるので、カットされた野菜等を指で掴んで簡単に取り出すことができる。
【００１０】
更に、携帯に便利な大きさであるので野外などに於いて利便性が高く、指先のみで用が達するので衛生的かつ手を汚すことがない。
【００１１】
また、カット野菜等の充填率のアップ、包装コストの削減、輸送費の削減等が可能で、展示するときはスタンディングし易いので転倒し難く、デスプレイー効果も優れるものである。
【００１２】
更に、ショーケースの陳列数が増すので販売促進の効果もあり、包装袋にエアーを入れることにより壊れやすい商品の保護も可能である。
【考案を実施するための最良の形態】
【００１３】
カットされた野菜等を収納する包装袋を、保存、流通、展示、更に皿代わりに利用するという目的を、フィルム袋の特定な箇所をサイドウエルド機で熔着することにより実現した。
【実施例１】
【００１４】
図１は、ＰＥ（ポリエチレン）、ＰＰ（ポリプロピレン）等のフィルムからなるカット野菜等の包装袋１を示す正面図、図２は、包装袋１の中へカット野菜等を入れた包装袋１を示す斜視図、図３は、収納されたカット野菜等を取り出すため、図２に示す包装袋１の両端部を掴んで左右に引っ張り、開口部に取り付けたノッチより底部に向けて引き裂いて開いた状態を示す斜視図である。
【００１５】
本考案の包装袋１は、ロール状に保管されたフィルムを所定の大きさに裁断し、次いで半折装置により該フィルムを二つに折り曲げ、包装袋１の底部となる半折部２が形成される。
【００１６】
二つに折り曲げたフィルムは次の工程へ移動し、該フィルムの両側縁３，３を熱刃により溶断シールして袋状に成形され、半折部２と対向する開口部４の両端部に、半円形、Ｕ字形、又はＶ字形のノッチ５が取り付けられる。
【００１７】
更に、半折部２の両端部から両側縁３，３へ向け、熱シールバーによりヒートシールされた溶着部６，７が設けられる。図１に示す実施例では、斜め方向へ２ヶ所に設けられている。
【００１８】
上記した通り、ＰＥ、ＰＰ等のフィルムによって成形された包装袋１は、半折部２の両隅に斜め方向へ溶着部６，７を、更に、開口部４の両端部にノッチ５が取り付けられた包装袋１から成っている。  
【００１９】
本考案の包装袋１に、カットされた野菜等を収納する作業を、図２に示す斜視図を用いて説明する。  
包装袋１の中央を手で掴んで左右へ引っ張ることにより、包装袋１は４面が三角形のテトラ状となり、開口部４の中央に、円形、Ｕ字形、又はＶ字形のノッチ５が位置することになる。
【００２０】
図２に示す開口部４の中央に位置するノッチ５と半折部２の両端部（溶着部６，７）を結ぶ線ａ１，ａ２は、図１で示される二つ折りされたフィルムの両側縁を熱刃により溶断シールされた側縁３，３を示すものである。
【００２１】
また、開口部４と半折部２の両端部（溶着部６，７）を結ぶ線ｂは、カット野菜等を収納した後溶着される箇所を示す線ｃの中間部イ（ロ）と半折部２の両端部（溶着部６，７）を結ぶ線で、ｂ１，ｂ２は、手前側フィルムの中間部イと半折部２の両端部（溶着部６，７）を結ぶ線、ｂ３，ｂ４は、後側フィルムの中間部ロと半折部２の両端部（溶着部６，７）を結ぶ線、ｄは両端の溶着部６，７を結ぶ線を示している。
【００２２】
したがって、包装袋１にカットされた野菜等が収納され開口部４が溶着されると、図２に示す、ｃ−ｂ３−ｂ２，ｂ２−ｄ−ｂ１，ｂ１−ｃ−ｂ４，ｂ４−ｂ３−ｄを結ぶ４面の三角形により、テトラ状の包装袋１が形成される。  
【００２３】
テトラ状の包装袋１に収納された野菜等を取り出すには、上記した包装袋１の開口部の溶着部ｅを手で掴み、左右に引っ張ることによりノッチ５箇所から半折部２の両端に設けた溶着部６，７までを切り開き、包装袋１を皿代わりに利用してカット野菜等を食べることができる。
【００２４】
図３は包装袋１を切り開いた状態を示すもので、包装袋１の開口部に設けた溶着部ｅを左右に引っ張ることにより、ノッチ５から半折部２の両端に設けた溶着部６，７を結ぶ線ａ１，ａ２（図１に示す包装袋の側縁）に沿って切り開くことができる。    
【図面の簡単な説明】
【００２５】
【図１】カット野菜等の包装袋を示す正面図である
【図２】カット野菜等を入れた包装袋を示す斜視図である
【図３】包装袋を切り開いた状態を示す斜視図である
【符号の説明】
【００２６】
１      包装袋  
２      半折部
３      側縁
４      開口部
５      ノッチ
６      溶着部
７      溶着部
【図１】
0003126331.tif 000003
【図２】
0003126331.tif 000004
【図３】
0003126331.tif 000005